(57)【特許請求の範囲】
【請求項１】
ワイヤレス通信のための装置であって、
送受信機と、
メモリと、
前記送受信機および前記メモリに通信可能に結合された少なくとも1つのプロセッサとを備え、前記少なくとも1つのプロセッサおよび前記メモリは、
前記送受信機が、単一の送信時間間隔(TTI)期間中に時分割複信(TDD)サブフレーム内で、第1のミッションクリティカル(MiCr)データを送信するための少なくとも1回の機会と、第2のMiCrデータを受信するための少なくとも1回の機会とを可能にするための命令を生成することであって、前記送信するための少なくとも1回の機会が、前記受信するための少なくとも1回の機会から少なくとも第1のパーティションによって分離される、ことと、
前記第1のMiCrデータの特性および前記第2のMiCrデータの特性のうちの1つまたは複数に基づき、前記第1のパーティションの位置を調整することと、
前記単一のTTI期間中に前記TDDサブフレーム内で前記第1のMiCrデータおよび前記第2のMiCrデータのうちの1つまたは複数を通信することと
を行うように構成される、装置。
【請求項２】
前記少なくとも1つのプロセッサおよび前記メモリが、
前記第1のMiCrデータおよび前記第2のMiCrデータのうちの1つまたは複数の特性に基づいて、前記第1のMiCrデータを送信するための前記少なくとも1回の機会について、どれだけの前記TDDサブフレームが構成されるか、および前記第2のMiCrデータを受信するための前記少なくとも1回の機会について、どれだけの前記TDDサブフレームが構成されるかを前記送受信機が調整するための命令を生成する
ようにさらに構成される、請求項1に記載の装置。
【請求項３】
前記TDDサブフレームが、ダウンリンク(DL)主体のTDDサブフレームを備え、前記DL主体のTDDサブフレームが、
前記第1のMiCrデータを送信するための前記少なくとも1回の機会を含む第1の部分と、
前記第1の部分に続くガード期間と、
前記ガード期間に続く第2の部分であって、前記第1の部分に対応し、前記第2のMiCrデータを受信するための前記少なくとも1回の機会を含む、第2の部分と
を備える、請求項1に記載の装置。
【請求項４】
前記TDDサブフレームが、アップリンク(UL)主体のTDDサブフレームを備え、前記UL主体のTDDサブフレームが、
前記第2のMiCrデータを受信するための前記少なくとも1回の機会のうちの第1の機会を含む第1の部分と、
前記第1の部分に続くガード期間と、
前記ガード期間に続く第2の部分であって、前記第1のMiCrデータを送信するための前記少なくとも1回の機会を含む、第2の部分と、
前記第2の部分に続く第3の部分であって、前記第2の部分に対応し、第3のMiCrデータを受信するための前記少なくとも1回の機会のうちの第2の機会を含む、第3の部分と
を備える、請求項1に記載の装置。
【請求項５】
前記少なくとも1つのプロセッサおよび前記メモリが、
前記送受信機が、前記第1のMiCrデータに対応するフィードバックメッセージの通信のために、周波数分割複信(FDD)キャリアまたはペアリングされたTDDキャリアを利用するための命令を生成する
ようにさらに構成される、請求項1に記載の装置。
【請求項６】
前記少なくとも1つのプロセッサおよび前記メモリが、
前記第1のMiCrデータの再送信のために、周波数分割複信(FDD)キャリアまたはペアリングされたTDDキャリアを前記送受信機が利用するための命令を生成する
ようにさらに構成される、請求項1に記載の装置。
【請求項７】
前記単一のTTIが、500マイクロ秒以下を含む、請求項1に記載の装置。
【請求項８】
前記第1のMiCrデータおよび前記第2のMiCrデータのうちの1つまたは複数が、前記TDDサブフレームに含まれる他のデータのレイテンシ要件よりも低いレイテンシ要件を有するデータを含む、請求項1に記載の装置。
【請求項９】
前記第1のMiCrデータおよび前記第2のMiCrデータのうちの1つまたは複数が、前記TDDサブフレームに含まれる他のデータの優先要件よりも高い優先要件を有するデータを含む、請求項1に記載の装置。
【請求項１０】
前記第1のMiCrデータおよび前記第2のMiCrデータのうちの1つまたは複数が、前記TDDサブフレームに含まれる他のデータの信頼性要件よりも高い信頼性要件を有するデータを含む、請求項1に記載の装置。
【請求項１１】
前記TDDサブフレームが、
前記TDDサブフレームの制御部分中の制御情報と、
前記TDDサブフレームのデータ部分中のデータ情報であって、前記制御情報に対応するデータ情報と、
前記TDDサブフレームの肯定応答部分中の肯定応答情報であって、前記データ情報に対応する肯定応答情報と
を備え、
前記制御部分、前記データ部分、および前記肯定応答部分は、同じTDDサブフレームに含まれる、請求項1に記載の装置。
【請求項１２】
ワイヤレス通信のための方法であって、
単一の送信時間間隔(TTI)期間中に時分割複信(TDD)サブフレーム内で、第1のミッションクリティカル(MiCr)データを送信するための少なくとも1回の機会と、第2のMiCrデータを受信するための少なくとも1回の機会とを送受信機が可能にするための命令を生成するステップであって、前記送信するための少なくとも1回の機会が、前記受信するための少なくとも1回の機会から少なくとも第1のパーティションによって分離される、ステップと、
前記第1のMiCrデータの特性および前記第2のMiCrデータの特性のうちの1つまたは複数に基づき、前記第1のパーティションの位置を調整するステップと、
前記単一のTTI期間中に前記TDDサブフレーム内で前記第1のMiCrデータおよび前記第2のMiCrデータのうちの1つまたは複数を通信するステップと
を含む、方法。
【請求項１３】
前記第1のMiCrデータおよび前記第2のMiCrデータのうちの1つまたは複数の特性に基づいて、前記第1のMiCrデータを送信するための前記少なくとも1回の機会について、どれだけの前記TDDサブフレームが構成されるか、および前記第2のMiCrデータを受信するための前記少なくとも1回の機会について、どれだけの前記TDDサブフレームが構成されるかを前記送受信機が調整するための命令を生成するステップ
をさらに含む、請求項12に記載の方法。
【請求項１４】
前記TDDサブフレームが、ダウンリンク(DL)主体のTDDサブフレームを備え、前記DL主体のTDDサブフレームが、
前記第1のMiCrデータを送信するための前記少なくとも1回の機会を含む第1の部分と、
前記第1の部分に続くガード期間と、
前記ガード期間に続く第2の部分であって、前記第1の部分に対応し、前記第2のMiCrデータを受信するための前記少なくとも1回の機会を含む、第2の部分と
を備える、請求項12に記載の方法。
【請求項１５】
前記TDDサブフレームが、アップリンク(UL)主体のTDDサブフレームを備え、前記UL主体のTDDサブフレームが、
前記第2のMiCrデータを受信するための前記少なくとも1回の機会のうちの第1の機会を含む第1の部分と、
前記第1の部分に続くガード期間と、
前記ガード期間に続く第2の部分であって、前記第1のMiCrデータを送信するための前記少なくとも1回の機会を含む、第2の部分と、
前記第2の部分に続く第3の部分であって、前記第2の部分に対応し、第3のMiCrデータを受信するための前記少なくとも1回の機会のうちの第2の機会を含む、第3の部分と
を備える、請求項12に記載の方法。
【請求項１６】
前記第1のMiCrデータに対応するフィードバックメッセージの通信のために、周波数分割複信(FDD)キャリアまたはペアリングされたTDDキャリアを前記送受信機が利用するための命令を生成するステップ、および
前記第1のMiCrデータの再送信のために、FDDキャリアまたはペアリングされたTDDキャリアを前記送受信機が利用するための命令を生成するステップ
のうちの少なくとも1つをさらに含む、請求項12に記載の方法。
【請求項１７】
前記単一のTTIが、500マイクロ秒以下であり、前記第1のMiCrデータおよび前記第2のMiCrデータのうちの少なくとも1つが、前記TDDサブフレームに含まれる他のデータのレイテンシ要件よりも低いレイテンシ要件、前記TDDサブフレームに含まれる前記他のデータの優先要件よりも高い優先要件、および前記TDDサブフレームに含まれる前記他のデータの信頼性要件よりも高い信頼性要件のうちの少なくとも1つを有するデータを含む、請求項12に記載の方法。
【請求項１８】
前記TDDサブフレームが、
前記TDDサブフレームの制御部分中の制御情報と、
前記TDDサブフレームのデータ部分中のデータ情報であって、前記制御情報に対応するデータ情報と、
前記TDDサブフレームの肯定応答部分中の肯定応答情報であって、前記データ情報に対応する肯定応答情報と
を備え、
前記制御部分、前記データ部分、および前記肯定応答部分は、同じTDDサブフレームに含まれる、請求項12に記載の方法。
【請求項１９】
ワイヤレス通信デバイスによって実行されるときに、前記デバイスに、
単一の送信時間間隔(TTI)期間中に時分割複信(TDD)サブフレーム内で、第1のミッションクリティカル(MiCr)データを送信するための少なくとも1回の機会と、第2のMiCrデータを受信するための少なくとも1回の機会とを可能にすることであって、前記送信するための少なくとも1回の機会が、前記受信するための少なくとも1回の機会から少なくとも第1のパーティションによって分離される、ことと、
前記第1のMiCrデータの特性および前記第2のMiCrデータの特性のうちの1つまたは複数に基づき、前記第1のパーティションの位置を調整することと、
前記単一のTTI期間中に前記TDDサブフレーム内で前記第1のMiCrデータおよび前記第2のMiCrデータのうちの1つまたは複数を通信することと
を行わせる命令を備える、コンピュータ可読記録媒体。
【請求項２０】
前記命令が、前記デバイスに、
前記第1のMiCrデータおよび前記第2のMiCrデータのうちの1つまたは複数の特性に基づいて、前記第1のMiCrデータを送信するための前記少なくとも1回の機会について、どれだけの前記TDDサブフレームが構成されるか、および前記第2のMiCrデータを受信するための前記少なくとも1回の機会について、どれだけの前記TDDサブフレームが構成されるかを調整することをさらに行わせる、請求項19記載のコンピュータ可読記録媒体。
【請求項２１】
前記TDDサブフレームが、ダウンリンク(DL)主体のTDDサブフレームを備え、前記DL主体のTDDサブフレームが、
前記第1のMiCrデータを送信するための前記少なくとも1回の機会を含む第1の部分と、
前記第1の部分に続くガード期間と、
前記ガード期間に続く第2の部分であって、前記第1の部分に対応し、前記第2のMiCrデータを受信するための前記少なくとも1回の機会を含む、第2の部分と
を備える、請求項19に記載のコンピュータ可読記録媒体。
【請求項２２】
前記TDDサブフレームが、アップリンク(UL)主体のTDDサブフレームを備え、前記UL主体のTDDサブフレームが、
前記第2のMiCrデータを受信するための前記少なくとも1回の機会のうちの第1の機会を含む第1の部分と、
前記第1の部分に続くガード期間と、
前記ガード期間に続く第2の部分であって、前記第1のMiCrデータを送信するための前記少なくとも1回の機会を含む、第2の部分と、
前記第2の部分に続く第3の部分であって、前記第2の部分に対応し、第3のMiCrデータを受信するための前記少なくとも1回の機会のうちの第2の機会を含む、第3の部分と
を備える、請求項19に記載のコンピュータ可読記録媒体。
【請求項２３】
前記命令が、前記デバイスに、
前記第1のMiCrデータに対応するフィードバックメッセージの通信のために、周波数分割複信(FDD)キャリアまたはペアリングされたTDDキャリアを利用すること、および
前記第1のMiCrデータの再送信のために、FDDキャリアまたはペアリングされたTDDキャリアを利用すること
のうちの少なくとも1つをさらに行わせる、請求項19に記載のコンピュータ可読記録媒体。
【請求項２４】
前記単一のTTIが、500マイクロ秒以下であり、前記第1のMiCrデータおよび前記第2のMiCrデータのうちの少なくとも1つが、前記TDDサブフレームに含まれる他のデータのレイテンシ要件よりも低いレイテンシ要件、前記TDDサブフレームに含まれる前記他のデータの優先要件よりも高い優先要件、または前記TDDサブフレームに含まれる前記他のデータの信頼性要件よりも高い信頼性要件のうちの少なくとも1つを有するデータを含む、請求項19に記載のコンピュータ可読記録媒体。
【請求項２５】
ワイヤレス通信のための装置であって、
単一の送信時間間隔(TTI)期間中に時分割複信(TDD)サブフレーム内で、第1のミッションクリティカル(MiCr)データを送信するための少なくとも1回の機会と、第2のMiCrデータを受信するための少なくとも1回の機会とを可能にするための手段であって、前記送信するための少なくとも1回の機会が、前記受信するための少なくとも1回の機会から少なくとも第1のパーティションによって分離される、手段と、
前記第1のMiCrデータの特性および前記第2のMiCrデータの特性のうちの1つまたは複数に基づき、前記第1のパーティションの位置を調整するための手段と、
前記単一のTTI期間中に前記TDDサブフレーム内で前記第1のMiCrデータおよび前記第2のMiCrデータのうちの1つまたは複数を通信するための手段と
を備える、装置。
【請求項２６】
前記第1のMiCrデータおよび前記第2のMiCrデータのうちの1つまたは複数の特性に基づいて、前記第1のMiCrデータを送信するための前記少なくとも1回の機会について、どれだけの前記TDDサブフレームが構成されるか、および前記第2のMiCrデータを受信するための前記少なくとも1回の機会について、どれだけの前記TDDサブフレームが構成されるかを調整するための手段
をさらに備える、請求項25に記載の装置。
【請求項２７】
前記TDDサブフレームが、ダウンリンク(DL)主体のTDDサブフレームを備え、前記DL主体のTDDサブフレームが、
前記第1のMiCrデータを送信するための前記少なくとも1回の機会を含む第1の部分と、
前記第1の部分に続くガード期間と、
前記ガード期間に続く第2の部分であって、前記第1の部分に対応し、前記第2のMiCrデータを受信するための前記少なくとも1回の機会を含む、第2の部分と
を備える、請求項25に記載の装置。
【請求項２８】
前記TDDサブフレームが、アップリンク(UL)主体のTDDサブフレームを備え、前記UL主体のTDDサブフレームが、
前記第2のMiCrデータを受信するための前記少なくとも1回の機会のうちの第1の機会を含む第1の部分と、
前記第1の部分に続くガード期間と、
前記ガード期間に続く第2の部分であって、前記第1のMiCrデータを送信するための前記少なくとも1回の機会を含む、第2の部分と、
前記第2の部分に続く第3の部分であって、前記第2の部分に対応し、第3のMiCrデータを受信するための前記少なくとも1回の機会のうちの第2の機会を含む、第3の部分と
を備える、請求項25に記載の装置。
【請求項２９】
前記第1のMiCrデータに対応するフィードバックメッセージの通信のために、周波数分割複信(FDD)キャリアまたはペアリングされたTDDキャリアを利用するための手段、および
前記第1のMiCrデータの再送信のために、FDDキャリアまたはペアリングされたTDDキャリアを利用するための手段
のうちの少なくとも1つをさらに備える、請求項25に記載の装置。
【請求項３０】
前記単一のTTIが、500マイクロ秒以下であり、前記第1のMiCrデータおよび前記第2のMiCrデータのうちの少なくとも1つが、前記TDDサブフレームに含まれる他のデータのレイテンシ要件よりも低いレイテンシ要件、前記TDDサブフレームに含まれる前記他のデータの優先要件よりも高い優先要件、または前記TDDサブフレームに含まれる前記他のデータの信頼性要件よりも高い信頼性要件のうちの少なくとも1つを有するデータを含む、請求項25に記載の装置。
【発明の詳細な説明】
【技術分野】
【０００１】
関連出願の相互参照
本出願は、2015年3月15日に米国特許商標庁に出願された仮出願第62/133,389号、および2015年11月12日に米国特許商標庁に出願された非仮出願第14/939,966号の優先権および利益を主張し、これらの出願の全内容は、参照によって本明細書に組み込まれる。
【０００２】
本開示の態様は、一般に、ワイヤレス通信システムに関し、より詳細には、自律式時分割複信(TDD)サブフレーム構造におけるミッションクリティカルデータサポートに関する。
【背景技術】
【０００３】
ワイヤレス通信ネットワークは、電話通信、ビデオ、データ、メッセージング、ブロードキャスト等などの様々な通信サービスを提供するために広く採用されている。そのようなネットワークは、通常は多元接続ネットワークであり、利用可能なネットワーク資源を共有することによって、複数のユーザのための通信をサポートする。そのようなワイヤレス通信ネットワークに対して割り振られたスペクトルは、ライセンスされたスペクトルおよび/またはライセンスされていないスペクトルを含むことができる。ライセンスされたスペクトルは、一般に、所与の領域内の行政体または他の機関によって規制されるようなライセンスされた使用を除いて、ワイヤレス通信のためのその使用を制限される。ライセンスされていないスペクトルは、一般に、そのようなライセンスの購入または使用なしに、限度内で自由に使用することができる。ワイヤレス通信の需要は、電話、スマートフォン、パーソナルコンピュータ、スマートメータ、遠隔センサ、スマートアラーム、メッシュノード、および他の多くのものを含むが、これらに限定されない、多くの使用例について増加し続けている。時分割複信(TDD)キャリアは、多くのワイヤレス通信ネットワークにおいて利用され得る。TDDキャリアを対象とする改良は、そのようなワイヤレス通信ネットワークおよび全体的なユーザ体験に利益を与え得る。
【発明の概要】
【課題を解決するための手段】
【０００４】
下記は、本開示の1つまたは複数の態様の簡略化された要約を、そのような態様の基本的な理解を提供するために提示するものである。この要約は、本開示のすべての想定される特徴の広範な概観ではなく、本開示のすべての態様の重要な要素または重大な要素を識別することも、本開示のいずれかの態様またはすべての態様の範囲を描写することも意図されていない。その唯一の目的は、後で提示される、より詳細な説明の前置きとして、本開示の1つまたは複数の態様のいくつかの概念を簡略化された形式で提示することである。
【０００５】
1つの態様では、本開示は、ワイヤレス通信のための装置を提供する。本装置は、送受信機と、メモリと、送受信機およびメモリに通信可能に結合された少なくとも1つのプロセッサとを含む。少なくとも1つのプロセッサおよびメモリは、送受信機が、単一の送信時間間隔(TTI)期間中に時分割複信(TDD)サブフレーム内で、ミッションクリティカル(MiCr)データを送信するための少なくとも1回の機会と、MiCrデータを受信するための少なくとも1回の機会とを可能にするための命令を生成するように構成され得る。少なくとも1つのプロセッサおよびメモリは、単一のTTI期間中にTDDサブフレーム内でMiCrデータを通信するようにさらに構成され得る。
【０００６】
別の態様では、本開示は、ワイヤレス通信のための方法を提供する。本方法は、送受信機が、単一TTI期間中にTDDサブフレーム内で、MiCrデータを送信するための少なくとも1回の機会と、MiCrデータを受信するための少なくとも1回の機会とを可能にするための命令を生成するステップを含み得る。本方法は、単一のTTI期間中にTDDサブフレーム内でMiCrデータを通信するステップも含み得る。
【０００７】
さらに別の態様では、本開示は、ワイヤレス通信のために構成されたコンピュータ読取可能な媒体を提供する。コンピュータ読取可能な媒体は、単一のTTI期間中にTDDサブフレーム内で、MiCrデータを送信するための少なくとも1回の機会と、MiCrデータを受信するための少なくとも1回の機会とを可能にするステップのために構成され得る、コンピュータ実行可能な命令を含む。コンピュータ実行可能な命令は、単一のTTI期間中にTDDサブフレーム内でMiCrデータを通信するステップのためにさらに構成され得る。
【０００８】
本開示のさらなる態様では、本開示は、ワイヤレス通信のために装置を提供する。本装置は、単一のTTI期間中にTDDサブフレーム内で、MiCrデータを送信するための少なくとも1回の機会と、MiCrデータを受信するための少なくとも1回の機会とを可能にするための手段を含み得る。本装置は、単一のTTI期間中にTDDサブフレーム内でMiCrデータを通信するための手段も含み得る。
【０００９】
本開示のこれらの態様および他の態様は、下記に続く詳細な説明を検討すれば、より完全に理解されるようになるであろう。本開示の他の態様、特徴および実施形態は、添付の図面とともに本開示の具体的で例示的な実施形態の下記の説明を検討すれば、当業者には明白になるであろう。本開示の特徴は、下記で一定の実施形態および図に関連して論じられ得るが、本開示のすべての実施形態は、本明細書において論じられる有利な特徴のうちの1つまたは複数を含むことができる。言い換えれば、1つまたは複数の実施形態は、一定の有利な特徴を有するものとして論じられ得るが、そのような特徴のうちの1つまたは複数は、本明細書において論じられる本開示の様々な実施形態に従って使用されてもよい。同様に、例示的な実施形態は、デバイス、システム、または方法の実施形態として下記で論じられ得るが、そのような例示的な実施形態は、様々なデバイス、システム、および方法において実装され得ることが理解されるべきである。
【図面の簡単な説明】
【００１０】
【図１】2つのデバイス間の様々なアップリンク(UL)通信およびダウンリンク(DL)通信の例を示すブロック図である。
【図２】いくつかの通信システムの態様に係る様々なサブフレーム構成の例を示す図である。
【図３】いくつかの通信システムの態様に係る様々なサブフレーム構成の別の例を示す図である。
【図４】いくつかの通信システムの態様に係る様々なサブフレーム構成のさらに別の例を示す図である。
【図５】本開示の態様に係るDL主体の時分割複信(TDD)サブフレームの例を示す図である。
【図６】本開示の態様に係るUL主体のTDDサブフレームの例を示す図である。
【図７】本開示の態様に係る様々な通信の例を示す図である。
【図８】本開示の様々な態様に係る装置のハードウェア実装の例を示す図である。
【図９】本開示の態様に係る様々な方法および/または処理の例を示す図である。
【発明を実施するための形態】
【００１１】
添付の図面に関して下記に述べられている詳細な説明は、様々な構成の説明として意図されており、本明細書において説明される概念が実施され得る唯一の構成を表すことは意図されていない。詳細な説明は、様々な概念の完全な理解を提供する目的のために、具体的な詳細を含む。しかしながら、これらの概念がこれらの具体的な詳細なしで実施されてもよいことは、当業者に明白であろう。いくつかの例において、周知の構造および構成要素は、そのような概念を曖昧にすることを回避するために、ブロック図の形式で示される。
【００１２】
本開示の全体にわたって提示される様々な概念は、幅広い通信システム、ネットワークアーキテクチャ、および通信標準にわたって実装され得る。第3世代パートナーシッププロジェクト(3GPP)は、ロングタームエボリューション(LTE)ネットワークと時々称されることもある、進化型パケットシステム(EPS: Evolved Packet System)に関与するネットワークのためのいくつかのワイヤレス通信標準を定義する標準団体である。LTEネットワークにおいて、パケットは、同じまたは同様のレイテンシ目標を利用し得る。そのため、LTEネットワークは、フリーサイズのレイテンシ構成を提供してもよい。LTEネットワークの進化したバージョン、たとえば、第5世代(5G)ネットワークは、多くの異なるタイプのサービスおよび/またはアプリケーション(たとえば、ウェブブラウジング、ビデオストリーミング、VoIP、ミッションクリティカルアプリケーション、マルチホップネットワーク、リアルタイムフィードバックを備えた遠隔操作、遠隔手術、およびその他)を提供し得る。そのようなサービスおよび/またはアプリケーションは、互いにかなり異なり得るレイテンシ目標から利益を享受し得る。しかしながら、LTEネットワークのフリーサイズのレイテンシ構成は、異なるレイテンシ目標を有するトラフィックの多重化を困難にし得る。そのような種々のレイテンシ目標をサポートするシステムのスペクトル適合性も、困難になり得る。たとえば、通常のトラフィックと低レイテンシトラフィック(たとえば、ミッションクリティカル(MiCr: Mission Critical)データ)との時間多重化は、低レイテンシトラフィック(たとえば、MiCrデータ)の一定の要件に違反することがある。さらに、低レイテンシトラフィック(たとえば、MiCrデータ)のための予約された周波数領域リソースは、ピークレートおよびトランキング効率を限定することがある。したがって、かなり異なるレイテンシ特性を有する様々なタイプ、クラス、およびカテゴリのトラフィックおよびサービスを多重化するためのサポートは、そのような次世代ネットワーク(たとえば、5Gネットワーク)および全体的なユーザ体験を向上させ得る。
【００１３】
図1は、2つのデバイス間の様々なアップリンク(UL)通信およびダウンリンク(DL)通信の例を示すブロック図である。本開示の態様によれば、「ダウンリンク」という用語は、デバイスA102に由来するポイントツーマルチポイント送信を指し、「アップリンク」という用語は、デバイスB104に由来するポイントツーポイント送信を指し得る。大まかに言えば、デバイスA102は、様々なDL送信およびUL送信を含む、ワイヤレス通信ネットワークにおけるトラフィックのスケジューリングを担当するノードまたはデバイスである。デバイスA102は、本開示の範囲を逸脱せずに、スケジューリングエンティティ、スケジューラ、および/または任意の他の適切な用語で時々称されることがある。デバイスA102は、基地局、基地送受信局、無線基地局、無線送受信機、送受信機機能、基本サービスセット、拡張サービスセット、アクセスポイント、ノードB、ユーザ機器(UE)、メッシュノード、中継機、ピア、および/もしくは任意の他の適切なデバイスであっても、または、これらの内部に存在してもよい。
【００１４】
大まかに言えば、デバイスB104は、スケジューリング許可、同期情報もしくはタイミング情報、または、デバイスA102などのワイヤレス通信ネットワーク内の別のエンティティからの他の制御情報を含むが、これらに限定されない、スケジューリング情報および/または制御情報を受信するノードまたはデバイスである。デバイスB104は、本開示の範囲を逸脱せずに、下位エンティティ、スケジューリング対象物、および/または任意の他の適切な用語で称され得る。デバイスB104は、UE、携帯電話、スマートフォン、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、端末、ユーザエージェント、モバイルクライアント、クライアント、メッシュノード、ピア、セッション開始プロトコル電話、ラップトップコンピュータ、ノート型コンピュータ、ネットブック、スマートブック、携帯情報端末、衛星ラジオ、全地球測位システムデバイス、マルチメディアデバイス、ビデオデバイス、デジタルオーディオプレイヤ、カメラ、ゲーム機、エンターテインメントデバイス、車両構成要素、ウェアラブルコンピューティングデバイス(たとえば、スマートウォッチ、眼鏡、健康トラッカーもしくはフィットネストラッカー等)、電気製品、センサ、自動販売機、および/もしくは任意の他の適切なデバイスであっても、または、これらの内部に存在してもよい。
【００１５】
デバイスA102は、DLデータチャネル106とDL制御チャネル108とを送信し得る。デバイスB102は、ULデータチャネル110とUL制御チャネル112とを送信し得る。図1に示されるチャネルは、必ずしもデバイスA102およびデバイスB104によって利用され得るチャネルのすべてであるとは限らない。当業者は、示されたものに加えて、他のデータチャネル、制御チャネル、およびフィードバックチャネルなどの他のチャネルが利用されてもよいことを認識するであろう。
【００１６】
上述されたように、いくつかのデータは、MiCrデータとして特徴付けられ得る。いくつかの構成では、MiCrデータとは、比較的低いまたは極めて低いレイテンシ要件を有するデータを指す。たとえば、MiCrデータのレイテンシ要件は、そのサブフレームに含まれる他のデータのレイテンシ要件よりも低いことがある。一般に、レイテンシとは、データの意図された宛先における、データの受信に関連付けられた遅延を指す。いくつかの構成では、MiCrデータとは、比較的高い優先要件を有するデータを指す。たとえば、MiCrデータの優先要件は、サブフレームに含まれる他のデータの優先要件よりも高いことがある。一般に、優先とは、データの重要性または時間感度を指す。比較的より高い重要性および/または比較的より高い時間感度を有するデータは、比較的より低い重要性および/または比較的より低い時間感度を有する他のデータの前に受信されるべきである。いくつかの構成では、MiCrデータとは、比較的高い信頼性要件を有するデータを指す。たとえば、MiCrデータの信頼性要件は、そのサブフレームに含まれる他のデータの信頼性要件よりも高いことがある。一般に、信頼性とは、データが意図された宛先によって誤りなしにどのくらい一貫して成功裡に受信されるかを指す。
【００１７】
図2は、いくつかの通信システムの態様に係る様々なサブフレーム構成の例を示す図200である。一般に、本開示において使用されるように、フレームとは、データおよび/または情報のカプセル化されたセットおよび/またはパケットを指し得る。フレームは、複数のサブフレームを含み得る。各サブフレームは、複数のシンボルを含み得る。各サブフレームは、特定の持続期間を有し得る。送信時間間隔(TTI: Transmission Time Interval)とは、単一のサブフレームの持続期間を指す。したがって、TTIとは、単一のサブフレーム内の前述の複数のシンボルの持続期間を指す。各シンボルは、受信機において受信され、復号され得る。各シンボルは、受信機が理解し、復号し得る単一のターボ符号語に対応し得る。いくつかの構成では、TTIとは、受信機において処理されるべきシンボルの集合の最も小さな粒度を指し得る。当業者は、「フレーム」および/または「サブフレーム」という用語が、本開示の範囲を逸脱せずに、様々な他の適切な用語で知られていることがあり、または様々な他の適切な用語で称されることがあることを理解するであろう。
【００１８】
図2に示されるサブフレームは、時分割複信(TDD)サブフレームと時々称され得る。例示の目的のために、4つのTDDサブフレームが、図2に示されている。サブフレーム1 202は、TTI1 212期間中のDL通信である。サブフレーム2 204は、TTI2 214期間中のUL通信である。サブフレーム3 206は、TTI3 216期間中のDL通信である。サブフレーム4 208は、TTI4 218期間中のUL通信である。いくつかの通信システムでは、サブフレームは、DLサブフレーム(たとえば、サブフレーム1 202、サブフレーム3 206)またはULサブフレーム(たとえば、サブフレーム2 204、サブフレーム4 208)としてスケジューリングされ得る。したがって、DL MiCrデータは、TTI1 212期間中にサブフレーム1 202において、および/またはTTI3 216期間中にサブフレーム3 206において通信されることが可能であり、UL MiCrデータは、TTI2 214期間中にサブフレーム2 204において、および/またはTTI4 218期間中にサブフレーム4 208において通信されることが可能である。
【００１９】
しかしながら、いくつかの通信システムでは、UL MiCrデータは、TTI1 212期間中のサブフレーム1 202においても、TTI3期間中のサブフレーム3 206においても通信されることが可能ではなく、DL MiCrデータは、TTI2 214期間中のサブフレーム2 204においても、TTI4 218期間中のサブフレーム4 208においても通信されることが可能ではない。したがって、TTI1 212期間中のサブフレーム1 202において、および/またはTTI3期間中のサブフレーム3 206においてUL MiCrデータを通信する代わりに、UL MiCrデータの通信は、それぞれTTI2 214期間中のサブフレーム2 204および/またはTTI4 218期間中のサブフレーム4 208まで遅延させられるであろう。また、TTI2 214期間中のサブフレーム2 204においてDL MiCrデータを通信する代わりに、DL MiCrデータの通信は、TTI3期間中のサブフレーム3 206まで遅延させられるであろう。当然ながら、複数の連続するサブフレームがすべて単一の方向に存在しており、かつ、MiCrパケットがそれ以外の方向へ通信されるべき場合、このMiCrデータレイテンシは、より一層長い持続期間へと延長されることが可能である。MiCrデータの通信におけるそのような大きなレイテンシは、通信システムおよび全体的なユーザ体験に悪影響を及ぼすことがある。
【００２０】
したがって、当業者は、TDDキャリアを利用する通信が一定の欠点を有し得ることを容易に理解するであろう。デバイスがシンボルを送信している間、その受信機は無効になり、一般にシンボルを受信することができない。同様に、デバイスがシンボルを受信している間、その送信機は無効になり、シンボルを送信することは一般にできない。そのような問題を克服しようと試みる1つのアプローチは、図3を参照して下記でより詳細に説明されるように、一定の時間スロットにおいて全二重通信を可能にすることができる方法で、2つのTDDキャリアを互いにペアリングすることである。
【００２１】
図3は、いくつかの通信システムの態様に係る様々なサブフレーム構成の別の例を示す図300である。より詳細には、図3は、2つのTDDコンポーネントキャリア(CC)のペアリングの例を示す。第1のCC(CC1)は、第2のCC(CC2)とペアリングされる。図300では、水平軸が時間(正確な縮尺ではない)を表し、垂直軸が周波数(正確な縮尺ではない)を表す。CC1およびCC2は、TDDキャリアである。アップリンク時間スロット(「U」で示される)は、個々のそれぞれのキャリア上でダウンリンク時間スロット(「D」で示される)と時間多重化される。いくつかの時間スロットは、下記にさらに説明されるように、特別な時間スロット(「S」で示される)である。一般に、時間スロットは、時間の任意の適切な持続期間に対応し得、他の呼称、たとえば、TTI、サブフレーム、フレーム、シンボル、時間の持続期間、および/または任意の他の適切な用語に対応し得る。
【００２２】
図300に示されるように、「構成A」として構成されたフレームは、「構成-A」として構成されたフレームとペアリングされ、「構成-A」は、「構成A」の逆(または対)を表す。同じように、「構成B」フレームは、「構成-B」として構成されたフレームとペアリングされる。ここで、CC2は、CC1の編成に対して逆の、対となる、および/または補完的な送信/受信編成を実装し得る。逆、補完的、および/または対という用語は、互換的に利用されてもよく、一般に、CC1内のダウンリンク時間スロット(「D」)のうちの少なくともいくつかが、CC2内のアップリンク時間スロット(「U」)とペアリングされ、CC1内のアップリンク時間スロット(「U」)のうちの少なくともいくつかが、CC2内のダウンリンク時間スロット(「D」)とペアリングされる構成を指す。
【００２３】
特別な時間スロット(「S」)は、ダウンリンクからアップリンクへの切り替えのために利用され得る。たとえば、スケジューリングエンティティ(たとえば、デバイスA102)は、下位エンティティ(たとえば、デバイスB104)が、TDDキャリアを利用する場合に、ダウンリンク時間スロット(「D」)からアップリンク時間スロット(「U」)に移行するための時間ギャップとして、これらの特別な時間スロット(「S」)を利用してもよい。たとえば、スケジューリングエンティティ(たとえば、デバイスA102)から下位エンティティ(たとえば、デバイスB104)へのダウンリンク時間スロット(「D」)の送信間に伝播遅延が存在してもよい。そのような伝播遅延を考慮するために、特別な時間スロット(「S」)は、スケジューリングエンティティ(たとえば、デバイスA102)および下位エンティティ(たとえば、デバイスB104)が同期を維持することができるように、ダウンリンク時間スロット(「D」)の終わりとアップリンク時間スロット(「U」)の始めとの間に時間ギャップを提供する。ここで、時間ギャップは、アップリンク通信も、ダウンリンク通信も発生しない時間に対応し得る。
【００２４】
しかしながら、ダウンリンク時間スロット(「D」)とアップリンク時間スロット(「U」)との間の切り替えは、複雑な干渉管理プロトコルを必要とし得る。また、ペアリングされたコンポーネントキャリアは、常に利用可能とは限らないことがある。たとえ利用可能であっても、いくつかの時間スロットは、対となる時間スロットを有しないことがある。言い換えれば、図3に示されるように、すべてのダウンリンク時間スロット(「D」)が、対となるアップリンク時間スロット(「U」)を有するわけではない。たとえば、CC2が特別な時間スロット(「S」)を有する場合は常に、CC1内の時間スロットは、CC2内に対となる時間スロットを有しない。言い換えれば、CC1またはCC2が特別な時間スロット(「S」)を有する場合は常に、通信システムは、アップリンク時間スロット(「U」)とダウンリンク時間スロット(「D」)の両方を同時に利用する能力を有しない。そのため、コンポーネントキャリアのうちの1つが、特別な時間スロット(「S」)のためにスケジューリングされる場合、通信システムは、同時の/並行したUL通信およびDL通信から利益を享受することができない。したがって、通信システムは、その特別な時間スロット(「S」)の終わりまで、同時の/並行したUL通信およびDL通信を遅延させなければならないことがある。一定のタイプのデータ(たとえば、MiCr)の通信におけるそのようなレイテンシは、通信システムおよび全体的なユーザ体験に悪影響を及ぼすことがある。
【００２５】
図4は、いくつかの通信システムの態様に係る様々なサブフレーム構成のさらに別の例を示す図400である。図4に示されるTDDキャリアの様々な態様は、図3を参照しつつ上述されたTDDキャリアの態様と同様であり、したがって、繰り返されない。TDDキャリアは、あるデバイスから別のデバイスへデータを送信するために利用され得る。周波数分割複信(FDD)キャリアは、ダウンリンク時間スロット(「D」)とアップリンク時間スロット(「U」)との間の切り替えをトリガするために利用され得る。たとえば、FDDキャリアは、通信システムがダウンリンク時間スロット(「D」)からアップリンク時間スロット(「U」)へ切り替わるべきであることを示してもよい。FDDキャリアは、フィードバックを通信するためにも使用され得る。たとえば、FDDキャリアは、肯定応答メッセージ(ACK)または否定応答メッセージ(NACK)を通信するために利用されてもよい。
【００２６】
しかしながら、ダウンリンク時間スロット(「D」)とアップリンク時間スロット(「U」)との間の切り替えは、複雑な干渉管理プロトコルを必要とし得る。また、通信システムは、同時の/並行した高ビットレートのDL通信およびUL通信を行うことができない。図4に示される例において、TDDキャリアは、(i)アップリンク時間スロット(「U」)期間中にUL通信を行うこと、(ii)ダウンリンク時間スロット(「D」)期間中にDL通信を行うこと、または(iii)特別な時間スロット(「S」)期間中にDL通信からUL通信への移行を行うことができる単一のコンポーネントキャリアを収容している。したがって、通信システムは、特別な時間スロット(「S」)期間中に不可避の遅延に直面する。通信システムは、特別な時間スロット(「S」)期間中には、DL通信も、UL通信も行うことができない。したがって、通信システムは、特別な時間スロット(「S」)の終わりまで、UL/DL通信を遅延させなければならないことがある。一定のタイプのデータ(たとえば、MiCr)の通信におけるそのような遅延は、通信システムおよび全体的なユーザ体験に悪影響を及ぼすことがある。
【００２７】
図2〜図4を参照して上記に提供された説明は、いくつかの通信システムに関係する。一般に、そのような通信システムは、一定の状況において、MiCrデータの通信に遅延を導入し得る。これらの状況は、TDD自己ブロッキングと時々称されることがあり、このTDD自己ブロッキングは、(i)現在のサブフレームがUL通信であるので、DL MiCrデータが現在のサブフレーム内で通信されることをブロックされる場合、および/または(ii)現在のサブフレームがDL通信であるので、UL MiCrデータが現在のサブフレーム内で通信されることをブロックされる場合に、発生し得る。しかしながら、本開示の態様は、同じ単一のTDDサブフレーム内でUL MiCrデータとDL MiCrデータの両方の通信を可能にすることによって、これらの問題を低減し、または取り除き得る。さらに、本開示の態様は、そのような通信を動的なUL/DL切り替えなしに可能にし、これは、干渉管理を促進し、図2〜図4を参照して上述されたような、いくつかの通信システムの複雑な干渉管理プロトコルのうちのいくつかを回避する。
【００２８】
図5は、本開示の態様に係るDL主体のTDDサブフレームの例を示す図500である。いくつかの例において、そのようなTDDサブフレームは、自律式TDDサブフレームであり得る。自律式TDDサブフレームは、単一のTDDサブフレーム内に、制御情報、データ、および肯定応答情報を含み得る。制御情報は、スケジューリング情報を含み得る。制御/スケジューリング情報は、その同じサブフレーム内のデータのすべてについての制御/スケジューリングを提供し得る。肯定応答情報は、その同じサブフレーム内のデータのすべてについての肯定応答(ACK)信号または否定応答(NACK)信号を含み得る。ACK信号および/またはNACK信号は、次のスケジューリングインスタンス(次のサブフレームも、そのサブフレーム内のデータについてのスケジューリングを含む)の前に、すべてのデータパケットについて予約され得る。いくつかの構成では、特定のサブフレーム内の一定のデータに対応する肯定応答情報は、異なるサブフレームに含まれてもよい。たとえば、第1のサブフレーム内のMiCrデータに対応するACK/NACK信号は、(第1のサブフレームの後に続き得る)第2のサブフレームに含まれてもよい。
【００２９】
そのような自律式サブフレームに関係するさらなる説明は、本開示の全体にわたって提供される。自律式TDDサブフレーム構造は、ダウンリンク方向だけでなく、アップリンク方向における送信も含み得る。いくつかの例において、自律式TDDサブフレームは、本明細書においてより詳細に説明されるように、DL制御/スケジューリング情報、スケジューリング情報に対応するDLデータ情報、およびデータ情報に対応するUL肯定応答情報を含む。他の例において、自律式サブフレームは、本明細書においてより詳細に説明されるように、DL制御/スケジューリング情報、スケジューリング情報に対応するULデータ情報、およびデータ情報に対応するDL肯定応答情報を含む。たとえ自律式サブフレームとして明示的に言及されない場合であっても、当業者は、本明細書において説明されるサブフレームのうちのいずれか1つまたは複数が、本開示の範囲を逸脱せずに、自律式サブフレームとして構成され、実装され、および/または他の方法で採用され得ることを理解するであろう。
【００３０】
図5に示される例を参照すると、DL主体のTDDサブフレームは、制御部分502を含む。制御部分502は、DL主体のTDDサブフレームの様々な部分に対応する、様々なスケジューリング情報および/または制御情報を含み得る。いくつかの構成では、図5に示されるように、制御部分502は、DL通信のために構成されてもよい。いくつかの構成では、制御部分502は、物理ダウンリンク制御チャネル(PDCCH)であってもよい。
【００３１】
DL主体のTDDサブフレームは、データ部分504も含み得る。データ部分504は、TDDサブフレームのペイロードと時々称されることがある。データ部分504は、適当であり得る任意のパディングだけでなく、様々なタイプの情報も含んでもよい。いくつかの構成では、図5に示されるように、データ部分504は、DL通信のために構成されてもよい。いくつかの構成では、MiCrデータは、データ部分504に含まれてもよい。したがって、データ部分504は、MiCrデータを送信するための少なくとも1回の機会を可能にし得る。本明細書において、MiCrデータを送信するための機会とは、TDDサブフレームの特定の部分の期間中に、またはTTIの特定の持続期間の期間中に、MiCrデータを送信するための利用可能性、オプション、または可能性を指す。一般に、(たとえば、送信するためのおよび/または受信するための機会を)「可能にする」という用語は、関連する回路の起動、特定のハードウェア構成要素の利用、および/または、特定の特徴もしくは態様が存在することを許容する、対応するアルゴリズムの実行を指し得る。一般に、(たとえば、命令を)「生成する」という用語は、関連する回路の起動、特定のハードウェア構成要素の利用、ならびに/または、本開示に従って一定の態様(たとえば、命令)の作成、構築、合成、展開、および/もしくはレンダリングを引き起こし、トリガし、もしくは他の方法で導く、対応するアルゴリズムの実行を指し得る。
【００３２】
DL主体のTDDサブフレームは、ガード期間506も含み得る。ガード期間506は、本開示の範囲を逸脱せずに、ガード間隔と時々称され得る。一般に、ガード期間506は、別個の送信が互いに干渉しないことを保証する。そのような干渉は、伝播遅延、エコー、反射、および他の効果を含み得る。たとえば、ガード期間506は、(ガード期間506に先行する)データ部分504のDL通信が、(ガード期間506に続く)フィードバック部分508のUL通信に干渉しないことを保証し得る。
【００３３】
いくつかの構成では、図5に示されるように、フィードバック部分508は、UL通信のために構成されてもよい。フィードバック部分508は、別の装置からフィードバックメッセージを受信するために構成されてもよい。たとえば、フィードバックメッセージは、ACKまたはNACKであってもよい。いくつかの構成では、フィードバックメッセージは、TDDサブフレームの他の部分に対応する。たとえば、フィードバック部分508内のACKは、データ部分504に含まれるMiCrデータが別の装置へ成功裡に送信されたこと、および別の装置によって成功裡に受信されたことを示してもよい。さらに、いくつかの構成では、フィードバック部分508は、MiCrデータを受信するための少なくとも1回の機会を可能にし得る。本明細書において、MiCrデータを受信するための機会とは、TDDサブフレームの特定の部分の期間中に、または対応するTTIの特定の持続期間の期間中に、MiCrデータを受信するための利用可能性、オプション、または可能性を指す。一般に、(たとえば、送信するためのおよび/または受信するための機会を)「可能にする」という用語は、関連する回路の起動、特定のハードウェア構成要素の利用、および/または特定の特徴もしくは態様が存在することを許容する、対応するアルゴリズムの実行を指し得る。
【００３４】
上記でより詳細に説明されたように、図5は、(たとえば、送信されるデータ部分504にMiCrデータを含めることによって)MiCrデータを送信するための少なくとも1回の機会と、(たとえば、受信されるフィードバック部分508にMiCrを含めることによって)MiCrデータを受信するための少なくとも1回の機会とを可能にする、DL主体のTDDサブフレームの例を示す。多くの構成において、DL主体のTDDサブフレームは、単一のTTIに含まれており、そのTTIの持続期間は、500マイクロ秒以下である。MiCrデータを送信するための少なくとも1回の機会と、MiCrデータを受信するための少なくとも1回の機会とを、同じ単一のTDDサブフレームに含めることによって、MiCrデータは、それ以外の方法で通信されるよりも早く通信されることが可能である。上述されたように、いくつかの通信システムは、一定の状況において、MiCrデータの通信に遅延または増加したレイテンシを導入し得る。これらの状況は、TDD自己ブロッキングと時々称されることがあり、このTDD自己ブロッキングは、(i)現在のサブフレームがUL通信であるので、DL MiCrデータが現在のサブフレーム内で通信されることをブロックされる場合、および/または(ii)現在のサブフレームがDL通信であるので、UL MiCrデータが現在のサブフレーム内で通信されることをブロックされる場合に、発生し得る。しかしながら、本開示の態様は、同じ単一のTDDサブフレーム内で、DL MiCrデータだけでなく、UL MiCrデータの通信も可能にすることによって、これらの問題を低減し、または取り除き得る。
【００３５】
図5に示されるように、制御部分502は、第1のパーティション512によってデータ部分504から分離され、データ部分504は、第2のパーティション514によってガード期間506から分離され、ガード期間506は、第3のパーティション516によってフィードバック部分508から分離される。本明細書において、「パーティション」という用語は、本開示の範囲を逸脱せずに、マーカ、分離、および/または任意の他の適切な用語を指し得る。いくつかの構成では、これらのパーティション512、514、516のうちの1つまたは複数は、様々な要因に基づいて、場所および/または位置において、調整され、変更され、最適化され、および/または他の方法で変化させられ得る。そのような要因は、MiCrデータの1つまたは複数の特性を含み得る。MiCrデータの特性は、MiCrデータのローディング、(たとえば、データ部分504内で)送信されるべきMiCrデータの量、(たとえば、フィードバック部分508内で)受信されるべきMiCrデータの量、および/または様々な他の適切な要因を含んでもよい。
【００３６】
MiCrデータの1つまたは複数の特性に基づいて、これらのパーティション512、514、516のうちの1つまたは複数は、場所および/または位置において、調整されても、変更されても、最適化されても、および/または他の方法で変化させられ得る。したがって、MiCrデータを送信するための少なくとも1回の機会について、どれだけのTDDサブフレームが構成されるか、および/またはMiCrデータを受信するための少なくとも1回の機会について、どれだけのTDDサブフレームが構成されるかは、MiCrデータの1つまたは複数の特性に基づいて、場所および/または位置において、調整され、変更され、最適化され、および/または他の方法で変化させられ得る。例として、データ部分504に含められるべきDL MiCrデータの量が、第1のパーティション512が左側へ調整されない場合にデータ部分504内に収容されるであろうDL MiCrデータの量より大きいとき、第1のパーティション512は、左側へ(たとえば、より早い時間へ)調整されてもよい。別の例として、フィードバック部分508に含められるべきUL MiCrデータの量が、第2のパーティション514および第3のパーティション516が左側へ調整されない場合にフィードバック部分508に収容されるであろうMiCrデータの量より大きいとき、第2のパーティション514および第3のパーティション516は、左側へ(たとえば、より早い時間へ)調整されてもよい。したがって、DL主体のサブフレームの様々な部分は、DL主体のサブフレームまたはTTIの合計サイズまたは長さ(たとえば、500マイクロ秒)を調整せずに、MiCrデータの1つまたは複数の特性に合わせて調整されることが可能である。当業者は、図5に示された例が本開示の範囲を限定することを意図されておらず、DL主体のTDDサブフレームの代替例が本開示の範囲内であることを理解する。
【００３７】
図6は、本開示の態様に係るUL主体のTDDサブフレームの例を示す図600である。この例において、UL主体のTDDサブフレームは、制御部分602を含む。制御部分602は、UL主体のTDDサブフレームの様々な部分に対応する、様々なスケジューリング情報および/または制御情報を含み得る。いくつかの構成では、図6に示されるように、制御部分602は、DL通信のために構成されてもよい。いくつかの構成では、制御部分602は、PDCCHであってもよい。いくつかの構成では、MiCrデータは、制御部分602に含まれていてもよい。したがって、制御部分602は、MiCrデータを受信するための少なくとも1回の機会を可能にし得る。本明細書において、MiCrデータを受信するための機会とは、TDDサブフレームの特定の部分の期間中に、または対応するTTIの特定の持続期間の期間中に、MiCrデータを受信するための利用可能性、オプション、または可能性を指す。一般に、(たとえば、送信するためのおよび/または受信するための機会を)「可能にする」という用語は、関連する回路の起動、特定のハードウェア構成要素の利用、および/または特定の特徴もしくは態様が存在することを許容する、対応するアルゴリズムの実行を指し得る。
【００３８】
UL主体のTDDサブフレームは、ガード期間604も含み得る。ガード期間604は、本開示の範囲を逸脱せずに、ガード間隔と時々称され得る。一般に、ガード期間604は、別個の送信が互いに干渉しないことを保証する。そのような干渉は、伝播遅延、エコー、反射および他の効果を含み得る。たとえば、ガード期間604は、(ガード期間604に先行する)制御部分602のDL通信が、(ガード期間604に続く)データ部分606のUL通信に干渉しないことを保証し得る。
【００３９】
データ部分606は、TDDサブフレームのペイロードと時々称されることがある。データ部分606は、適当であり得る任意のパディングだけでなく、様々なタイプの情報(たとえば、データ、将来の送信のためのスケジューリングリソース等)を含んでもよい。いくつかの構成では、図6に示されるように、データ部分606は、UL通信のために構成されてもよい。いくつかの構成では、データ部分606は、MiCrデータを含み得る。したがって、データ部分606は、MiCrデータを送信するための少なくとも1回の機会を可能にし得る。本明細書において、MiCrデータを送信するための機会とは、TDDサブフレームの特定の部分の期間中に、または対応するTTIの特定の持続期間の期間中に、MiCrデータを受信するための利用可能性、オプション、または可能性を指す。一般に、(たとえば、送信するためのおよび/または受信するための機会を)「可能にする」という用語は、関連する回路の起動、特定のハードウェア構成要素の利用、および/または特定の特徴もしくは態様が存在することを許容する、対応するアルゴリズムの実行を指し得る。
【００４０】
UL主体のTDDサブフレームは、データ部分606に続くフィードバック部分608も含み得る。いくつかの構成では、図6に示されるように、フィードバック部分608は、DL通信のために構成されてもよい。フィードバック部分608は、別の装置からフィードバックメッセージを受信するために構成され得る。たとえば、フィードバックメッセージは、ACKまたはNACKであってもよい。いくつかの構成では、フィードバックメッセージは、TDDサブフレームの他の部分に対応する。たとえば、フィードバック部分608中のACKは、データ部分606に含まれるMiCrデータが別の装置へ成功裡に送信されたこと、および別の装置によって成功裡に受信されたことを示してもよい。さらに、いくつかの構成では、フィードバック部分608は、MiCrデータを含み得る。したがって、フィードバック部分608は、MiCrデータを受信するための少なくとも1回のさらなる機会を可能にし得る。(上述されたように、制御部分602も、MiCrデータを受信するための少なくとも1回の機会を可能にする。)
【００４１】
上記でより詳細に説明されたように、図6は、(たとえば、受信される制御部分602および/またはフィードバック部分608にMiCrデータを含めることによって)MiCrデータを受信するための少なくとも1回の機会と、(たとえば、送信されるデータ部分606にMiCrデータを含めることによって)MiCrデータを送信するための少なくとも1回の機会とを可能にする、UL主体のTDDサブフレームの例を示す。多くの構成において、UL主体のTDDサブフレームは、単一のTTIに含まれており、そのTTIの持続期間は、500マイクロ秒以下である。MiCrデータを受信するための少なくとも1回の機会と、MiCrデータを送信するための少なくとも1回の機会とを、同じ単一のTDDサブフレームに含めることによって、MiCrデータは、それ以外の方法で通信されるよりも早く通信されることが可能である。上述されたように、いくつかの通信システムは、一定の状況において、MiCrデータの通信に遅延を導入し得る。これらの状況は、TDD自己ブロッキングと時々称されることがあり、このTDD自己ブロッキングは、(i)現在のサブフレームがUL通信であるので、DL MiCrデータが現在のサブフレーム内で通信されることをブロックされる場合、および/または(ii)現在のサブフレームがDL通信であるので、UL MiCrデータが現在のサブフレーム内で通信されることをブロックされる場合に、発生し得る。しかしながら、本開示の態様は、同じ単一のTDDサブフレーム内で、DL MiCrデータだけでなく、UL MiCrデータの通信も可能にすることによって、そのような限定を克服する。
【００４２】
図6に示されるように、制御部分602は、第1のパーティション612によってガード期間604から分離され、ガード期間604は、第2のパーティション614によってデータ部分606から分離され、データ部分606は、第3のパーティション616によってフィードバック部分608から分離される。いくつかの構成では、これらのパーティション612、614、616のうちの1つまたは複数は、様々な要因に基づいて、場所および/または位置において、調整され、変更され、最適化され、および/または他の方法で変化させられ得る。そのような要因は、MiCrデータの1つまたは複数の特性を含み得る。MiCrデータの特性は、MiCrデータのローディング、(たとえば、データ部分606内で)送信されるべきMiCrデータの量、(たとえば、制御部分602および/もしくはフィードバック部分608内で)受信されるべきMiCrデータの量、ならびに/または様々な他の適切な要因を含んでもよい。
【００４３】
MiCrデータの1つまたは複数の特性に基づいて、これらのパーティション612、614、616のうちの1つまたは複数は、場所および/または位置において、調整され、変更され、最適化され、および/または他の方法で変化させられ得る。したがって、MiCrデータを送信するための少なくとも1回の機会について、どれだけのTDDサブフレームが構成されるか、および/またはMiCrデータを受信するための少なくとも1回の機会について、どれだけのTDDサブフレームが構成されるかは、MiCrデータの1つまたは複数の特性に基づいて、場所および/または位置において、調整され、変更され、最適化され、および/または他の方法で変化させられ得る。例として、制御部分602に含められるべきDL MiCrデータの量が、第1のパーティション612および第2のパーティション614が右側へ調整されない場合に制御部分602に収容されるであろうDL MiCrデータの量より大きいとき、第1のパーティション612および第2のパーティション614は、右側へ(たとえば、より後の時間へ)調整されてもよい。別の例として、フィードバック部分608に含められるべきDL MiCrデータの量が、第3のパーティション516が左側へ調整されない場合にフィードバック部分608に収容されるであろうDL MiCrデータの量より大きいとき、第3のパーティション516は、左側へ(たとえば、より早い時間へ)調整されてもよい。したがって、UL主体のサブフレームの様々な部分は、UL主体のサブフレームまたはTTIの合計サイズまたは長さ(たとえば、500マイクロ秒)を調整せずに、MiCrデータの1つまたは複数の特性に合わせて調整されることが可能である。当業者は、図6に示された例が本開示の範囲を限定することを意図されておらず、UL主体のTDDサブフレームの代替例が本開示の範囲内であることを理解する。
【００４４】
図7は、本開示の態様に係る様々な通信の例を示す図700である。この図700においては、3つのサブフレーム(サブフレーム1、サブフレーム2、サブフレーム3)が、3つのTTI(それぞれTTI1、TTI2、TTI3)について示されている。サブフレーム1およびサブフレーム2は、図5を参照して上記でより詳細に説明されたように、DL主体のTDDサブフレームである。サブフレーム3は、図6を参照して上記でより詳細に説明されたように、UL主体のTDDサブフレームである。各TTI期間中に、MiCrデータを送信するための少なくとも1回の機会と、MiCrデータを受信するための少なくとも1回の機会とが存在する。たとえば、TTI1期間中に、MiCrデータは、サブフレーム1のデータ部分504'に含まれてもよく(したがって、MiCrデータを送信するための少なくとも1回の機会を可能にする)、MiCrデータは、サブフレーム1のフィードバック部分508'に含まれてもよい(したがって、MiCrデータを受信するための少なくとも1回の機会を可能にする)。別の例として、TTI2期間中に、MiCrデータは、サブフレーム2のデータ部分504''に含まれてもよく(したがって、MiCrデータを送信するための少なくとも1回の機会を可能にする)、MiCrデータは、サブフレーム2のフィードバック部分508''に含まれてもよい(したがって、MiCrデータを受信するための少なくとも1回の機会を可能にする)。さらに別の例として、TTI3期間中に、MiCrデータは、サブフレーム3の制御部分602'に含まれてもよく(したがって、MiCrデータを受信するための少なくとも1回の機会のうちの第1の機会を可能にする)、MiCrデータは、サブフレーム3のデータ部分606'に含まれてもよく(したがって、MiCrデータを送信するための少なくとも1回の機会を可能にする)、MiCrデータは、フィードバック部分608'に含まれてもよい(したがって、MiCrデータを受信するための少なくとも1回の機会のうちの第2の機会を可能にする)。
【００４５】
当業者は、必ずしもTDDスペクトルが通信システムのための「常にオンの」リソースと見なされ得ないことを理解する。そのため、一定のTDDキャリアは、通信システムにとって時々利用不可能となり得る。しかしながら、FDDスペクトルは、通信システムのための「常にオンの」リソースと見なされてもよい。いくつかの構成では、フィードバックメッセージ(たとえば、ACK/NACK)は、FDDキャリアを使用して通信され得る。これが行われ得るのは、(i)FDDが通信システムにとって定期的に利用可能であり、および/または(ii)TDDサブフレームのフィードバック部分(たとえば、フィードバック部分508'、508''、608)がMiCrデータにより占有され得るからである。したがって、いくつかの構成では、FDDキャリアは、MiCrデータに対応するフィードバックメッセージの通信のために利用されてもよい。また、いくつかの構成では、FDDキャリアは、MiCrデータの再送信(たとえば、ハイブリッド自動再送要求(HARQ: Hybrid Automatic Repeat Request)再送信)のために利用されてもよい。いくつかの構成では、フィードバックメッセージ(たとえば、ACK/NACK)は、ペアリングされたTDDキャリアを使用して通信され得る。そのような構成では、ペアリングされたTDDキャリアは、MiCrデータに対応するフィードバックメッセージの通信のために、および/またはMiCrデータの再送信(たとえば、HARQ再送信)のために、利用され得る。
【００４６】
通信システムは、本開示の範囲を逸脱せずに、様々な要因に従って、UL中心のTDDサブフレームおよび/またはDL中心のTDDサブフレームをどれくらい頻繁に利用するべきかを決定し得る。いくつかの構成では、通信システムは、ネットワークによって設定された所定の設定に従って、UL中心のTDDサブフレームおよび/またはDL中心のTDDサブフレームをどれくらい頻繁に利用するべきかを決定してもよい。したがって、DL中心のTDDサブフレームに対するUL中心のTDDサブフレームの割合、数、比率、および/または百分率は、ネットワークによって設定されたそのような所定の設定に従って決定されてもよい。いくつかの構成では、通信システムは、様々なトラフィック状態またはネットワーク状態に基づいて、動的にまたは半静的に調整される設定に従って、UL中心のTDDサブフレームおよび/またはDL中心のTDDサブフレームをどれくらい頻繁に利用するべきかを決定してもよい。たとえば、現在のトラフィック状態またはネットワーク状態が、ULデータ(たとえば、UL MiCrデータ)の比較的高い割合、数、比率、および/または百分率を示す場合、通信システムは、DL主体のサブフレームの割合、数、比率、および/または百分率に対して、UL主体のサブフレームのより大きな割合、数、比率、および/または百分率を利用してもよい。反対に、現在のトラフィック状態またはネットワーク状態が、DLデータ(たとえばDL MiCrデータ)の比較的高い割合、数、比率、および/または百分率を示す場合、通信システムは、UL主体のサブフレームの割合、数、比率、および/または百分率に対して、DL主体のサブフレームのより大きな割合、数、比率、および/または百分率を利用してもよい。
【００４７】
図8は、本開示の様々な態様に係る装置802のハードウェア実装の例を示す図800である。一般に、装置802は、ワイヤレス通信のために構成された任意のデバイスであってよい。いくつかの構成では、装置802は、上記でより詳細に説明されたような、デバイスA102であってもよい。いくつかの構成では、装置802は、上記でより詳細に説明されたような、デバイスB104であってもよい。装置802は、ユーザインターフェース812を含み得る。ユーザインターフェース812は、装置802のユーザから1つまたは複数の入力を受け取るように構成され得る。ユーザインターフェース812は、装置802のユーザに対して情報を表示するようにも構成され得る。ユーザインターフェース812は、バスインターフェース808を介してデータを交換し得る。
【００４８】
装置802は、送受信機810も含み得る。送受信機810は、別の装置との通信においてデータを受信し、および/またはデータを送信するように構成され得る。送受信機810は、有線送信媒体またはワイヤレス送信媒体を介して別の装置と通信するための手段を提供する。いくつかの構成では、送受信機810は、単一のTTI期間中にTDDサブフレーム内でMiCrデータを通信するための手段を提供してもよい。本開示の態様によれば、「通信する」および/または「通信」という用語は、送信または受信のうちの少なくとも1つを指す。言い換えれば、本開示の範囲を逸脱せずに、「通信する」および/または「通信」という用語は、同時の/並行した受信なしの送信、同時の/並行した送信なしの受信、および/または、同時の/並行した受信を有する送信を指し得る。
【００４９】
いくつかの例において、送受信機810は、デバイスA102に、デバイスB104から(たとえば、単一のTTI期間中のTDDサブフレーム内で)データ(たとえば、MiCrデータ)を受信するための手段だけでなく、デバイスB104へデータ(たとえば、MiCrデータ)を送信するための手段も提供し得る。他のいくつかの例において、送受信機810は、デバイスB104に、デバイスA102から(たとえば、単一のTTI期間中のTDDサブフレーム内で)データ(たとえば、MiCrデータ)を受信するための手段だけでなく、デバイスA102へデータ(たとえば、MiCrデータ)を送信するための手段も提供し得る。送受信機810は、上記でより詳細に説明されたように、様々なタイプの技術を使用して、そのような通信を行うように構成され得る。当業者は、本開示の範囲を逸脱せずに、多くのタイプの技術がそのような通信を行い得ることを理解するだろう。
【００５０】
装置802は、メモリ814、1つまたは複数のプロセッサ804、コンピュータ読取可能な媒体806、およびバスインターフェース808も含み得る。バスインターフェース808は、バス816と送受信機810との間にインターフェースを提供し得る。メモリ814、1つまたは複数のプロセッサ804、コンピュータ読取可能な媒体806、およびバスインターフェース808は、バス816を介してともに接続され得る。プロセッサ804は、送受信機810および/またはメモリ814に通信可能に結合され得る。
【００５１】
プロセッサ804は、TDD回路820を含み得る。TDD回路820は、様々なハードウェア構成要素を含むことができ、および/または、単一のTTI期間中にTDDサブフレーム内で、MiCrデータを送信するための少なくとも1回の機会と、MiCrデータを受信するための少なくとも1回の機会とを可能にするための手段を提供する様々なアルゴリズムを行い得る。TDD回路820はまた、様々なハードウェア構成要素を含むことができ、および/または、単一のTTI期間中にTDDサブフレーム内で、MiCrデータを通信するための手段を提供する様々なアルゴリズムを行い得る。
【００５２】
プロセッサ804は、調整回路821も含み得る。調整回路821は、様々なハードウェア構成要素を含むことができ、および/または、MiCrデータの1つもしくは複数の特性に基づいて、MiCrデータを送信するための少なくとも1回の機会について、どれだけのTDDサブフレームが構成されるか、および、MiCrデータを受信するための少なくとも1回の機会について、どれだけのTDDサブフレームが構成されるかを調整するための手段を提供する様々なアルゴリズムを行い得る。プロセッサ804は、FDD回路822も含み得る。FDD回路822は、様々なハードウェア構成要素を含むことができ、および/または、MiCrデータに対応するフィードバックメッセージの通信のためにFDDキャリアを利用するための手段を提供する様々なアルゴリズムを行い得る。FDD回路822はまた、様々なハードウェア構成要素を含むことができ、および/または、MiCrデータの再送信のためにFDDキャリアを利用するための手段を提供する様々なアルゴリズムを行い得る。前述の説明は、装置802のプロセッサ804の非限定的な例を提供している。様々な回路820、821、822が上述されているが、当業者は、プロセッサ804が、前述の回路820、821、822に加えて、および/または前述の回路820、821、822の代替となる、様々な他の回路823も含んでもよいことを理解するであろう。そのような他の回路823は、本明細書において説明される機能、方法、プロセス、特徴および/または態様のうちのいずれか1つまたは複数を行うための手段を提供してもよい。
【００５３】
コンピュータ読取可能な媒体806は、様々なコンピュータ実行可能な命令を含み得る。コンピュータ実行可能な命令は、様々な機能を行うように、および/または本明細書において説明される様々な態様を可能にするように構成されたコンピュータ実行可能なコードを含み得る。コンピュータ実行可能な命令は、装置802の様々なハードウェア構成要素(たとえば、プロセッサ804および/またはその回路820、821、822、823のうちのいずれか)によって実行され得る。コンピュータ実行可能な命令は、様々なソフトウェアプログラムおよび/またはソフトウェアモジュールのうちの一部であってもよい。コンピュータ読取可能な媒体806は、TDD命令840を含み得る。TDD命令840は、単一のTTI期間中にTDDサブフレーム内で、MiCrデータを送信するための少なくとも1回の機会と、MiCrデータを受信するための少なくとも1回の機会とを可能にするために構成されたコンピュータ実行可能な命令を含み得る。TDD命令840は、単一のTTI期間中にTDDサブフレーム内で、MiCrデータを通信するために構成されたコンピュータ実行可能な命令も含み得る。
【００５４】
コンピュータ読取可能な媒体806は、調整命令841も含み得る。調整命令841は、MiCrデータの1つまたは複数の特性に基づいて、MiCrデータを送信するための少なくとも1回の機会について、どれだけのTDDサブフレームが構成されるか、および、MiCrデータを受信するための少なくとも1回の機会について、どれだけのTDDサブフレームが構成されるかを調整するために構成されたコンピュータ実行可能な命令を含み得る。コンピュータ読取可能な媒体806は、FDD命令842を含み得る。FDD命令842は、MiCrデータに対応するフィードバックメッセージの通信のためにFDDキャリアを利用するために構成されたコンピュータ実行可能な命令を含み得る。FDD命令842は、MiCrデータの再送信のためにFDDキャリアを利用するために構成されたコンピュータ実行可能な命令も含み得る。前述の説明は、装置802のコンピュータ読取可能な媒体806の非限定的な例を提供する。様々なコンピュータ実行可能な命令840、841、842が上述されているが、当業者は、コンピュータ読取可能な媒体806が、前述のコンピュータ実行可能な命令840、841、842に加えて、および/または前述のコンピュータ実行可能な命令840、841、842の代替となる、様々な他のコンピュータ実行可能な命令843も含んでもよいことを理解するであろう。そのような他のコンピュータ実行可能な命令843は、本明細書において説明される機能、方法、プロセス、特徴および/または態様のうちのいずれか1つまたは複数のために構成されてもよい。
【００５５】
メモリ814は、様々なメモリモジュールを含み得る。メモリモジュールは、プロセッサ804、またはその回路820、821、822、823のうちのいずれかによって、様々な値および/または情報を記憶し、これらから様々な値および/または情報を読み出すように構成され得る。メモリモジュールは、コンピュータ読取可能な媒体806に含まれるコンピュータ実行可能コード、またはその命令840、841、842、843のうちのいずれかが実行されると、様々な値および/または情報を記憶し、これらから様々な値および/または情報を読み出すようにも構成され得る。メモリ814は、スケジューリング情報830を含み得る。スケジューリング情報830は、本明細書において説明される制御部分502、502'、502''、602、602'のうちの1つまたは複数に含まれた情報のうちの少なくともいくつかを含み得る。メモリは、MiCrデータ831も含み得る。MiCrデータ831は、本明細書において説明される制御部分602、602'、データ部分504、504'、504''、604、604'、および/またはフィードバック部分508、508'、508''、608、608'のうちの1つまたは複数に含まれ得るMiCrデータのうちの少なくともいくつかを含み得る。前述の説明は、装置802のメモリ814の非限定的な例を提供する。メモリ814の様々なタイプのデータが上述されているが、当業者は、メモリ814が、前述のデータ830、831に加えて、および/または前述のデータ830、831の代替となる、様々な他のデータも含んでもよいことを理解するであろう。そのような他のデータは、本明細書において説明される機能、方法、プロセス、特徴および/または態様のうちのいずれか1つまたは複数に関連付けられてもよい。
【００５６】
当業者は、本開示の範囲を逸脱せずに、装置802が代替的な機能および/または付加的な機能を含み得ることを理解するであろう。本開示の様々な態様に従って、要素、要素の任意の部分、または要素の任意の組合せは、1つまたは複数のプロセッサ804を含む処理システムにより実装されてもよい。1つまたは複数のプロセッサ804の例は、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート制御されたロジック、別々のハードウェア回路、および、本開示の全体にわたって説明された様々な機能性を行うように構成された他の適切なハードウェアを含む。処理システムは、バス816およびバスインターフェース808によって一般に表される、バスアーキテクチャにより実装されてもよい。バス816は、処理システムの具体的な適用例および全体的な設計制約に応じて、任意の数の相互接続バスおよびブリッジを含んでもよい。バス816は、1つまたは複数のプロセッサ804、メモリ814、およびコンピュータ読取可能な媒体806を含む様々な回路をともにリンクさせ得る。バス816は、本技術において周知である、タイミングソース、周辺装置、電圧レギュレータ、および電力管理回路などの様々な他の回路もリンクさせてもよい。
【００５７】
1つまたは複数のプロセッサ804は、バス816の管理と、コンピュータ読取可能な媒体806上に記憶されたソフトウェアの実行を含む、一般的な処理とを担当し得る。ソフトウェアは、1つまたは複数のプロセッサ804によって実行されると、処理システムに、任意の1つまたは複数の装置について下記に説明される様々な機能を行わせる。コンピュータ読取可能な媒体806も、ソフトウェアを実行する場合1つまたは複数のプロセッサ804によって操作されるデータの貯蔵のために使用されてもよい。ソフトウェアは、ソフトウェア、ファームウェア、ミドルウェア、マイクロコード、ハードウェア記述言語、またはその他として称されようと、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、機能等を意味するように広く解釈されるべきである。ソフトウェアは、コンピュータ読取可能な媒体806上に存在してもよい。
【００５８】
コンピュータ読取可能な媒体806は、非一時的なコンピュータ読取可能な媒体であり得る。非一時的なコンピュータ読取可能な媒体は、例として、磁気記憶装置(たとえば、ハードディスク、フロッピーディスク、磁気ストリップ)、光ディスク(たとえば、コンパクトディスク(CD)またはデジタル多用途ディスク(DVD))、スマートカード、フラッシュメモリデバイス(たとえば、カード、スティック、またはキードライブ)、ランダムアクセスメモリ(RAM)、読出専用メモリ(ROM)、プログラマブルROM(PROM)、消去可能PROM(EPROM)、電気的消去可能PROM(EEPROM)、レジスタ、リムーバブルディスク、ならびに、コンピュータによってアクセスされ、読み出され得るソフトウェアおよび/または命令を記憶するための任意の他の適切な媒体を含む。コンピュータ読取可能な媒体806は、例として、コンピュータによってアクセスされ、読み出され得るソフトウェアおよび/または命令を送信するための搬送波、伝送路、および任意の他の適切な媒体も含んでもよい。コンピュータ読取可能な媒体806は、処理システムに存在しても、処理システムの外部にあっても、または、処理システムを含む複数のエンティティにわたって分散されてもよい。コンピュータ読取可能な媒体806は、コンピュータプログラム製品において具現化されてもよい。限定ではなく、例として、コンピュータプログラム製品は、包装材料内のコンピュータ読取可能な媒体を含んでもよい。当業者は、特定の適用例と全体的なシステムに課される全体的な設計制約とに応じて、本開示の全体にわたって提示される説明された機能性をどのように最も良く実装するべきかを認識するであろう。
【００５９】
図9は、本開示の態様に係る様々な方法および/または処理の例を示す図900である。本方法および/または処理は、装置によって行われ得る。いくつかの構成では、そのような装置は、図8を参照して上述された装置802である。いくつかの構成では、そのような装置は、(上述された)デバイスA102である。いくつかの構成では、そのような装置は、(上述された)デバイスB104である。ブロック902において、本装置(たとえば、装置802、デバイスA102、デバイスB104)は、送受信機が、単一のTTI期間中のTDDサブフレーム内で、MiCrデータを送信するための少なくとも1回の機会と、MiCrデータを受信するための少なくとも1回の機会とを可能にする命令を生成し得る。たとえば、図7を参照すると、TTI1期間中に、MiCrデータは、サブフレーム1のデータ部分504'に含まれてもよく(したがって、MiCrデータを送信するための少なくとも1回の機会を可能にする)、MiCrデータは、サブフレーム1のフィードバック部分508'に含まれていてもよい(したがって、MiCrデータを受信するための少なくとも1回の機会を可能にする)。TTI2期間中に、MiCrデータは、サブフレーム2のデータ部分504''に含まれてもよく(したがって、MiCrデータを送信するための少なくとも1回の機会を可能にする)、MiCrデータは、サブフレーム2のフィードバック部分508''に含まれてもよい(したがって、MiCrデータを受信するための少なくとも1回の機会を可能にする)。TTI3期間中に、MiCrデータは、サブフレーム3の制御部分602'に含まれてもよく(したがって、MiCrデータを受信するための少なくとも1回の機会のうちの第1の機会を可能にする)、MiCrデータは、サブフレーム3のデータ部分606'に含まれてもよく(したがって、MiCrデータを送信するための少なくとも1回の機会を可能にする)、MiCrデータは、フィードバック部分608'に含まれてもよい(したがって、MiCrデータを受信するための少なくとも1回の機会のうちの第2の機会を可能にする)。
【００６０】
いくつかの構成では、ブロック904において、本装置(たとえば、装置802、デバイスA102、デバイスB104)は、MiCrデータの1つまたは複数の特性に基づいて、MiCrデータを送信するための少なくとも1回の機会について、どれだけのTDDサブフレームが構成されるか、およびMiCrデータを受信するための少なくとも1回の機会について、どれだけのTDDサブフレームが構成されるかを調整する。たとえば、図5のパーティション512、514、516のうちの1つもしくは複数、および/またはパーティション612、614、616のうちの1つもしくは複数は、MiCrデータの1つまたは複数の特性に基づいて、場所および/または位置において、調整され、変更され、最適化され、および/または他の方法で変化させられ得る。MiCrデータの特性は、MiCrデータのローディング、送信されるべきMiCrデータの量、受信されるべきMiCrデータの量、および/または様々な他の適切な要因を含んでもよい。
【００６１】
いくつかの構成では、ブロック906において、本装置(たとえば、装置802、デバイスA102、デバイスB104)は、MiCrデータに対応するフィードバックメッセージの通信のために、ペアリングされたキャリア(たとえば、FDDキャリアまたはペアリングされたTDDキャリア)を利用する。MiCrデータは、フィードバック部分(たとえば、図7におけるフィードバック部分508'、508''、608'、)のうちの少なくともいくつかに含まれ得るので、フィードバックメッセージ(たとえば、ACK/NACK)は、FDDキャリアまたはTDDキャリアを使用して通信され得る。いくつかの構成では、ブロック908において、本装置は、MiCrデータの再送信のために、ペアリングされたキャリア(たとえば、FDDキャリアまたはペアリングされたTDDキャリア)を利用してもよい。たとえば、(MiCrデータ送信に対応する)フィードバックメッセージが、NACKである場合、FDDキャリアまたはペアリングされたTDDキャリアは、そのMiCrデータのHARQ再送信のために利用されてもよい。いくつかの構成では、本装置(たとえば、装置802、デバイスA102、デバイスB104)は、TDDサブフレーム内でMiCrデータを送信し、同じ単一のTTI期間中にTDDサブフレーム内でMiCrデータを受信する。上記でより詳細に説明されたように、そのようなTDDサブフレームは、自律式TDDサブフレームと見なされ得る。そのようなサブフレームの例は、たとえば、図5〜図7を参照して上述されており、したがって、繰り返されない。ブロック910において、本装置は、単一のTTI期間中にTDDサブフレーム内でMiCrデータを通信し得る。
【００６２】
図9を参照して説明された方法および/または処理は、例示の目的のために提供されており、本開示の範囲を限定することを意図されていない。図9を参照して説明された方法および/または処理は、本開示の範囲を逸脱せずに、その説明中で示された順序と異なる順序で行われてもよい。また、図9を参照して説明された方法および/または処理のうちの一部または全部は、本開示の範囲を逸脱せずに、個々にまたは一緒に行われてもよい。開示された方法におけるステップの特定の順序または階層は、例示的な処理の例示であることが理解されるべきである。設計嗜好に基づいて、本方法におけるステップの特定の順序または階層は並べ替えられてもよいことが理解される。添付の方法クレームは、様々なステップの要素を見本の順序で提示しており、方法クレームにおいて特に具体的な記載がない限り、提示された特定の順序または階層に限定されることを目的とされない。
【００６３】
上記の説明は、任意の当業者が、本明細書において説明された様々な態様を実施することを可能にするように提供されている。これらの態様への様々な変形は、当業者に容易に明白になり、本明細書において定義された一般的な原理は、他の態様に適用されてもよい。したがって、特許請求の範囲は、本明細書において示された態様に限定されることを意図されていないが、特許請求の範囲の文言に一致する全範囲と合致すべきであり、単数の要素への言及は、特に具体的にそのように記述されない限り、「唯一の」ではなく、むしろ「1つまたは複数の」を意味することを意図されている。特に具体的に別記しない限り、「いくつかの」という用語は、1つまたは複数を指す。項目のリストの「少なくとも1つの」に言及する句は、単一のメンバを含む、それらの項目の任意の組合せを指す。例として、「a、b、またはcのうちの少なくとも1つ」は、a、b、c、aおよびb、aおよびc、bおよびc、ならびに、a、bおよびcをカバーすることを意図される。当業者に知られているか、または後に知られるようになる、本開示の全体にわたって説明された様々な態様の要素のすべての構造的な均等物および機能的な均等物は、参照によって本明細書に明示的に組み込まれており、特許請求の範囲によって包含されることを意図されている。さらに、本明細書において開示されたものは、そのような開示が特許請求の範囲において明示的に記載されているかどうかにかかわらず、公に捧げられることを意図されていない。請求項の要素は、その要素が、「ための手段」という句を使用して明示的に記載されない限り、または、方法クレームの場合には、その要素が、「ためのステップ」という句を使用して記載されない限り、米国特許法第112条(f)の規定の下で解釈されるべきではない。
【符号の説明】
【００６４】
102  デバイスA
104  デバイスB
106  DLデータチャネル
108  DL制御チャネル
110  ULデータチャネル
112  UL制御チャネル
202  サブフレーム1
204  サブフレーム2
206  サブフレーム3
208  サブフレーム4
502  制御部分
504  データ部分
504'  データ部分
504''  データ部分
506  ガード期間
508  フィードバック部分
508'  フィードバック部分
508''  フィードバック部分
512  第1のパーティション
514  第2のパーティション
516  第3のパーティション
602  制御部分
602'  制御部分
604  ガード期間
606  データ部分
606'  データ部分
608  フィードバック部分
608'  フィードバック部分
612  第1のパーティション
614  第2のパーティション
616  第3のパーティション
802  装置
804  プロセッサ
806  コンピュータ読取可能な媒体
808  バスインターフェース
810  送受信機
812  ユーザインターフェース
814  メモリ
816  バス
820  TDD回路
821  調整回路
822  FDD回路
823  他の回路
830  スケジューリングデータ
831  MiCrデータ
840  TDD命令
841  調整命令
842  FDD命令
843  他の命令
【図１】
0006518781.tif 000002
【図２】
0006518781.tif 000003
【図３】
0006518781.tif 000004
【図４】
0006518781.tif 000005
【図５】
0006518781.tif 000006
【図６】
0006518781.tif 000007
【図７】
0006518781.tif 000008
【図８】
0006518781.tif 000009
【図９】
0006518781.tif 000010